(57)【要約】【課題】腰壁本体の内部に雨水が入り込むのを抑制することができる腰壁を提供する。【解決手段】腰壁１は、腰壁本体２と、腰壁本体２の上端部を被覆する第１被覆部材３と、第１被覆部材３の外側面、内側面及び上面との間に通路５が形成された状態で第１被覆部材３の外側面、内側面及び上面を覆う第２被覆部材４とを備えている。第１被覆部材３の外側面を被覆する第２被覆部材４の第２外側面被覆部４１は、開口形成部４１１と、開口形成部４１１の上端部から外側に張り出すとともに開口形成部４１１から上方に延びる被覆側延設部４１２とを備える。第１外側面被覆部３２と開口形成部４１１との間に形成される通路の断面積は、腰壁本体２の上端部の外側面と第１外側面被覆部３２との間隙３０ａの断面積よりも大きく、且つ、被覆側延設部４１２と第１外側面被覆部３２との間に形成される通路の断面積よりも小さい。【選択図】図３
2018193712.tif 000002
【特許請求の範囲】
【請求項１】
腰壁であって、
腰壁本体と、
前記腰壁本体の上端部の外側面、内側面及び上面を覆うように前記腰壁本体の上端部を被覆する第１被覆部材であって、前記腰壁本体の上端部の外側面を被覆する第１外側面被覆部を有する第１被覆部材と、
前記第１被覆部材の外側面、内側面及び上面との間に通路が形成された状態で前記第１被覆部材の外側面、内側面及び上面を覆う第２被覆部材と、を備え、
前記第１外側面被覆部の外側面を被覆する前記第２被覆部材の第２外側面被覆部は、前記通路の外側の開口を前記第１外側面被覆部との間で形成する開口形成部と、前記開口形成部の上端部から外側に張り出すとともに前記開口形成部から上方に延びる被覆側延設部とを備え、
前記第１外側面被覆部と前記開口形成部との間に形成される前記通路の断面積は、前記腰壁本体の上端部の外側面と前記第１外側面被覆部との間隙の断面積よりも大きく、且つ、前記被覆側延設部と前記第１外側面被覆部との間に形成される前記通路の断面積よりも小さい、腰壁。
【請求項２】
前記開口形成部と前記第１外側面被覆部との距離が、前記腰壁本体の上端部の外側面と前記第１外側面被覆部との距離よりも大きく、且つ、前記被覆側延設部と前記第１外側面被覆部との距離よりも小さい、請求項１に記載の腰壁。
【請求項３】
前記第１被覆部材は、前記第１外側面被覆部と前記腰壁本体の上端部との間の流体の流れを抑制するために前記第１外側面被覆部から内側へ延びる抑制面をさらに備えている、請求項１又は２に記載の腰壁。
【請求項４】
前記第１被覆部材は、前記第１外側面被覆部と前記腰壁本体の上端部との間に設けられた緩衝材をさらに備え、
前記緩衝材は、前記抑制面を有する、請求項３に記載の腰壁。
【請求項５】
前記第２外側面被覆部は、前記開口形成部の下端部から下に延びて前記第１外側面被覆部の下端部よりも下方に位置する下方延出部を有する、請求項１〜４の何れか１項に記載の腰壁。
【請求項６】
前記第２外側面被覆部は、前記下方延出部から前記腰壁本体側に延びる本体側延設部を備えている、請求項５に記載の腰壁。
【請求項７】
前記第１被覆部材の上面を被覆する前記第２被覆部材の上面被覆部は、前記被覆側延設部の上端から内側かつ上方に向けて鈍角に延びる第１上面被覆部と、前記第１上面被覆部の内側端から内側かつ下方に向けて鈍角に延びる第２上面被覆部とを有する、請求項１〜６の何れか一項に記載の腰壁。
【請求項８】
前記第１被覆部材と前記第２被覆部材との間に前記通路が形成されるように前記第２被覆部材を前記第１被覆部材上に支持する支持部材をさらに備え、
前記支持部材は、前記第１上面被覆部を支持する部分と、前記第２上面被覆部を支持する部分とを有する、請求項７に記載の腰壁。
【発明の詳細な説明】
【技術分野】
【０００１】
本発明は、建造物のバルコニー、屋上あるいは陸屋根等に形成される腰壁に関するものである。
【背景技術】
【０００２】
従来から、建物におけるバルコニー、屋上あるいは陸屋根等に形成される腰壁は、広く知られており、例えば特許文献１に、腰壁（パラペット）が開示されている。
【０００３】
特許文献１に開示された腰壁は、腰壁本体（壁体及びサイディング）と、腰壁本体の上端部の外側面、内側面及び上面を覆うように腰壁本体の上端部を被覆する被覆部材（防水シート）と、被覆部材の外側端部と腰壁本体の上端部の外側面との間及び被覆部材の内側端部と腰壁本体の上端部の内側面との間に設けられたＬ型通気部材とを備えている。
【０００４】
特許文献１に開示の腰壁では、Ｌ型通気部材を介して腰壁本体の内部に空気を導入可能としならが、Ｌ型通気部材によって腰壁本体の内部への虫等の侵入が防止されている。
【先行技術文献】
【特許文献】
【０００５】
【特許文献１】特開２０１２−７４３３号公報
【発明の概要】
【発明が解決しようとする課題】
【０００６】
しかしながら、特許文献１に開示の腰壁では、被覆部材の外側端部と腰壁本体の上端部の外側面との間、及び被覆部材の内側端部と腰壁本体の上端部の内側面との間を通じて腰壁本体内に雨水等が侵入してしまうおそれがある。
【０００７】
具体的に、例えば、強風を伴う雨が降っている場合、風が腰壁本体の外側面に勢いよく当たると当該外側面に沿った風の上昇流が生じ、当該上昇流に沿って雨水が腰壁本体と被覆部材との間を通じて腰壁本体内に侵入してしまうおそれがある。
【０００８】
本発明の目的は、腰壁本体の内部に雨水が入り込むのを抑制することができる腰壁を提供することにある。
【課題を解決するための手段】
【０００９】
上記課題を解決するため、本発明は、腰壁であって、腰壁本体と、前記腰壁本体の上端部の外側面、内側面及び上面を覆うように前記腰壁本体の上端部を被覆する第１被覆部材であって、前記腰壁本体の上端部の外側面を被覆する第１外側面被覆部を有する第１被覆部材と、前記第１被覆部材の外側面、内側面及び上面との間に通路が形成された状態で前記第１被覆部材の外側面、内側面及び上面を覆う第２被覆部材と、を備え、前記第１外側面被覆部の外側面を被覆する前記第２被覆部材の第２外側面被覆部は、前記通路の外側の開口を前記第１外側面被覆部との間で形成する開口形成部と、前記開口形成部の上端部から外側に張り出すとともに前記開口形成部から上方に延びる被覆側延設部とを備え、前記第１外側面被覆部と前記開口形成部との間に形成される前記通路の断面積は、前記腰壁本体の上端部の外側面と前記第１外側面被覆部との間隙の断面積よりも大きく、且つ、前記被覆側延設部と前記第１外側面被覆部との間に形成される前記通路の断面積よりも小さい、腰壁を提供する。
【００１０】
本発明によれば、第２被覆部材と第１被覆部材との間に通路が形成されているため、例えば強風を伴う雨（以下、流体という）が降っている場合に、流体が腰壁本体の外側面に吹き付けられて形成された流体の上昇流を通路を通じて腰壁の内側（裏側）に導くことができる。
【００１１】
具体的に、前記第１外側面被覆部と前記開口形成部との間に形成される前記通路の断面積は、前記腰壁本体の上端部の外側面と前記第１外側面被覆部との間隙の断面積よりも大きい。つまり、通路の断面積と比較して間隙の断面積が絞られている。そのため、通路の開口及び間隙の入り口に到達した流体を間隙よりも通路に優先して流すことができる。
【００１２】
しかも、前記第１外側面被覆部と前記開口形成部との間に形成される前記通路の断面積が前記被覆側延設部と前記第１外側面被覆部との間に形成される前記通路の断面積よりも小さい。そのため、一旦通路の開口内に導かれた流体は、より断面積の大きな被覆側延設部と第１外側面被覆部との間に形成される通路内、つまり、通路の奥へスムーズに導くことができる。
【００１３】
従って、腰壁本体の内部に雨水が入り込むのを抑制することができる。
【００１４】
また、本発明によれば、例えば腰壁本体の上端部の外側面と第１被覆部材との間隙をシーリングする工程を省略することができるので、容易かつ低コストで腰壁本体の内部に雨水が入るのを抑制することができる。
【００１５】
なお、本発明において『断面積』は、通路に沿って流体が流れている状態において当該流体の流れ方向に直交する断面積を意味する。
【００１６】
具体的に、前記腰壁において、前記開口形成部と前記第１外側面被覆部との距離が、前記腰壁本体の上端部の外側面と前記第１外側面被覆部との距離よりも大きく、且つ、前記被覆側延設部と前記第１外側面被覆部との距離よりも小さい構成とすることができる。
【００１７】
これによれば、開口形成部と第１外側面被覆部と被覆側延設部との距離に応じて断面積の調整を行うことができる。
【００１８】
前記腰壁において、前記第１被覆部材は、前記第１外側面被覆部と前記腰壁本体の上端部との間の流体の流れを抑制するために前記第１外側面被覆部から内側へ延びる抑制面をさらに備えていることが好ましい。
【００１９】
この態様によれば、抑制面によって腰壁本体の上端部と第１外側面被覆部との間の流体の流れを抑制することができるため、腰壁本体の外側面に沿った流体の上昇流をより効果的に通路の開口内に導くことができる。
【００２０】
前記腰壁において、前記第１被覆部材は、前記第１外側面被覆部と前記腰壁本体の上端部との間に設けられた緩衝材をさらに備え、前記緩衝材は、前記抑制面を有することが好ましい。
【００２１】
腰壁本体の寸法精度に応じて当該腰壁本体と第１外側面被覆部との間の間隔にばらつきが生じるが、前記態様によれば、第１外側面被覆部と腰壁本体との間で緩衝材を挟み込むことによって第１外側面被覆部と腰壁本体との間の隙間を容易に塞ぐことができる。そして、この緩衝材を抑制面を構成するものとして兼用することができる。
【００２２】
前記腰壁において、前記第２外側面被覆部は、前記開口形成部の下端部から下に延びて前記第１外側面被覆部の下端部よりも下方に位置する下方延出部を有することが好ましい。
【００２３】
上記のように抑制面を有する構成においては、流体の上昇流の一部が、抑制面により第１外側面被覆部と腰壁本体との間隙への侵入が抑制される結果、外側（腰壁本体から離れる側）に逃げようとする。前記態様によれば、このように腰壁本体から離れる側に逃げようとする流体の流れを下方延出部で受けて開口内に導くことができるため、より積極的に開口内への流体の流れを形成することができる。
【００２４】
前記腰壁において、前記第２外側面被覆部は、前記下方延出部から前記腰壁本体側に延びる本体側延設部を備えていることが好ましい。
【００２５】
上記のように下方延出部を有する構成においては、下方延出部で受けた流体の一部が下方に巻き返して再び腰壁本体の外側面に沿った上昇流に合流して、通路へ向けた流体の流れを妨害するおそれがある。前記態様によれば、下方延出部に導かれた流体の下方への移動を本体側延設部により規制することができるため、下方延出部に導かれた流体をより効率よく通路の開口内に導くことができる。
【００２６】
前記腰壁において、前記第１被覆部材の上面を被覆する前記第２被覆部材の上面被覆部は、前記被覆側延設部の上端から内側かつ上方に向けて鈍角に延びる第１上面被覆部と、前記第１上面被覆部の内側端から内側かつ下方に向けて鈍角に延びる第２上面被覆部とを有することが好ましい。
【００２７】
この態様によれば、被覆側延設部と第１外側面被覆部との間に導かれた流体を第１上面被覆部及び第２上面被覆部に沿って鈍角に方向転換させて腰壁の内側（裏側）まで導くことができる。したがって、通路内に導入された流体をよりスムーズに流すことができる。
【００２８】
前記腰壁において、前記第１被覆部材と前記第２被覆部材との間に前記通路が形成されるように前記第２被覆部材を前記第１被覆部材上に支持する支持部材をさらに備え、前記支持部材は、前記第１上面被覆部を支持する部分と、前記第２上面被覆部を支持する部分とを有することが好ましい。
【００２９】
この態様によれば、上記のように互いに鈍角に接続される第１上面被覆部及び第２上面被覆部が外力に対して変形し難くなる。
【発明の効果】
【００３０】
本発明によれば、腰壁本体の内部に雨水が入り込むのを抑制することができる。
【図面の簡単な説明】
【００３１】
【図１】本発明の実施形態に係る腰壁の要部の分解斜視図である。
【図２】図１の腰壁の断面図である。
【図３】図２の一部を拡大して示す断面図である。
【発明を実施するための形態】
【００３２】
以下添付図面を参照しながら、本発明の実施の形態について説明する。なお、以下の実施の形態は、本発明を具体化した例であって、本発明の技術的範囲を限定する性格のものではない。
【００３３】
図１は、本発明の実施形態に係る腰壁の要部の分解斜視図、図２は、図１の腰壁の断面図、図３は、図２の一部を拡大して示す断面図である。
【００３４】
腰壁１は、建造物におけるバルコニー、屋上あるいは陸屋根等に形成されるものである。具体的に、腰壁１は、図１〜図３に示すように、腰壁本体２と、腰壁本体２の上端部を被覆する第１被覆部材（水切り）３と、第１被覆部材３を被覆する第２被覆部材（笠木）４と、第２被覆部材４を第１被覆部材３上で支持する複数（この実施形態では３つ）の支持部材６とを備えている。尚、図のＸ１方向を建築物に近づく側（内側）とし、Ｘ２方向を建築物から離れる側（外側）として説明する。
【００３５】
腰壁本体２は、図２に示すように、壁支持部材２１と、壁支持部材２１の外側で当該壁支持部材２１に支持された外装壁２２と、壁支持部材２１の内側で当該壁支持部材２１に支持された内装壁２３とを備えている。
【００３６】
壁支持部材２１は、壁支持部材本体２１１と、第１被覆部材３及び第２被覆部材４を固定する被覆部材固定部２１２を備えている。
【００３７】
壁支持部材本体２１１は、断面Ｃ字状の溝型鋼が枠状に組み付けられたものである。
【００３８】
被覆部材固定部２１２は、取付ボルト２１１ａ及びナット２１１ｂによって壁支持部材本体２１１の上面に固定されている。被覆部材固定部２１２の上面には、板材２１２ａが固定され、この板材２１２ａに対してビス７によって第１被覆部材３及び支持部材６が固定されている。詳しくは後述するが、支持部材６に対して第２被覆部材４が係止され、これにより第２被覆部材４は、第１被覆部材３上に支持されている。
【００３９】
外装壁２２は、所定の厚さを有する板状のものである。外装壁２２の外側面２２ａには、溝２２１が形成されている。外装壁２２は、溝２２１が外側を向くように、壁支持部材２１に取り付けられている。
【００４０】
内装壁２３は、所定の厚さを有する板状のものである。内装壁２３の内側面２３ａには、溝２３１が形成されている。内装壁２３は、溝２３１が内側を向くように、壁支持部材２１に取り付けられている。
【００４１】
第１被覆部材３は、図１に示すように、腰壁本体２の上面を上から覆う上壁３１と、腰壁本体２の上端部の外側面を外側から覆う第１外側面被覆部３２と、腰壁本体２の上端部の内側面を内側から覆う第１内側面被覆部３３とを備えた金属板である。
【００４２】
上壁３１は、腰壁本体２の上面を覆うことができるように腰壁本体２の内外方向の幅寸法Ｗ２（図２参照）よりも大きな幅寸法Ｗ１（図１及び図２参照）を有する。また、上壁３１の長さ寸法Ｌ１は、腰壁本体２の上面を覆うことができるように腰壁本体２の上面の長さよりも大きくすることができる。一方、上壁３１の長さ寸法Ｌ１が腰壁本体２の上面の長さ寸法よりも小さい場合、複数の第１被覆部材３を長さ方向に並べて腰壁本体２の上面を被覆することもできる。
【００４３】
第１外側面被覆部３２は、上壁３１における外側端から所定長さで下方に延びている。
【００４４】
第１内側面被覆部３３は、上壁３１における内側端から所定長さで下方に延びている。
【００４５】
第１被覆部材３は、図２に示すように、上壁３１を貫くビス７によって被覆部材固定部２１２に固定されている。
【００４６】
第１被覆部材３が被覆部材固定部２１２に取り付けられることにより、第１被覆部材３の上壁３１が腰壁本体２の上面を上から被覆するとともに、第１被覆部材３の第１外側面被覆部３２が腰壁本体２の上端部の外側面２２ａを外側から被覆し、また、第１被覆部材３の第１内側面被覆部３３が腰壁本体２の上端部の内側面２３ａを内側から被覆する。なお、腰壁本体２の長さ寸法よりも第１被覆部材３の長さ寸法が小さい場合には、複数の第１被覆部材３を長さ方向に並べて腰壁本体２の上面全体、腰壁本体２の上端部の外側面２２ａの長さ方向の全体、及び腰壁本体２の上端部の内側面２３ａの長さ方向の全体を覆うことができる。
【００４７】
また、第１被覆部材３は、第１外側面被覆部３２の下端部と腰壁本体２の上端部の外側面との間に設けられた第１緩衝材（緩衝材）３４と、第１内側面被覆部３３の下端部と腰壁本体２の上端部の内側面との間に設けられた第２緩衝材３５とを備えている。
【００４８】
両緩衝材３４、３５は、外装壁２２及び内装壁２３の取付位置の誤差を吸収するために両被覆部３２、３３と腰壁本体２との間の隙間を埋めるためのものである。具体的に、両緩衝材３４、３５は、弾性及び通気性を有する部材であり、例えば、スポンジ状のエチレン・プロピレンゴム（ＥＰＴ）を用いることができる。なお、両緩衝材３４、３５が両被覆部３２、３３の下端部に設けられている例について説明したが、両緩衝材３４、３５は、両被覆部３２、３３の下端部よりも上に配置されていてもよい。
【００４９】
具体的に、第１緩衝材３４は、第１外側面被覆部３２の下端部と外装壁２２の上端部の外側面との間に挟持され、その結果、第１外側面被覆部３２と外装壁２２との間には間隙３０ａが形成されている。第２緩衝材３５は、第１内側面被覆部３３の下端部と内装壁２３の上端部の内側面との間に挟持され、その結果、第１内側面被覆部３３と内装壁２３との間には間隙３０ｂが形成されている。ここで、両被覆部３２、３３は、両壁２２、２３と平行となるように上下方向に延びている。そのため、両被覆部３２、３３と両壁２２、２３との間には、間隙３０ａ、３０ｂに対応する一定の断面積を持って上に延びる通路がそれぞれ形成されている。これらの通路は、上壁３１と腰壁本体２の上面との間の隙間を通じて互いに連通している。
【００５０】
また、第１緩衝材３４の下面は、第１外側面被覆部３２と腰壁本体２の上端部との間の流体の流れを抑制するのに寄与する。つまり、第１緩衝材３４の下面は、第１外側面被覆部３２と腰壁本体２の上端部との間の流体の流れを抑制するために第１外側面被覆部３２から内側へ延びる抑制面として機能する。
【００５１】
なお、抑制面３４ａは、第１緩衝材３４の下面により形成されるものに限らず、例えば第１被覆部材３の第１外側面被覆部３２の下端部の一部を内側に折り曲げ成形することによって形成してもよく、適宜変更できる。ただし、第１緩衝材３４には、外装壁２２の外側面及び内装壁２３の内側面間の距離の製作誤差を吸収し、確実に間隙３０ａ、３０ｂを塞ぐことができ、さらに、間隙３０ａ、３０ｂから虫等の侵入を確実に防止できる機能が要求される。したがって、このような機能を有する第１緩衝材３４の下面を抑制面３４ａとして利用することにより、別途に抑制面３４ａの形成が不要となる。
【００５２】
次に、第２被覆部材４について説明する。第２被覆部材４は、第１被覆部材３の第１外側面被覆部３２の外側面、第１内側面被覆部３３の内側面及び上壁３１の上面との間に通路５が形成された状態で第１被覆部材３の外側面、内側面及び上面を覆うものである。
【００５３】
第２被覆部材４は、第１外側面被覆部３２の外側面を外側から被覆する第２外側面被覆部４１と、上壁３１の上面を上から被覆する上面被覆部４２と、第１内側面被覆部３３の内側面を内側から被覆する内側面被覆部４３とを備えている。
【００５４】
第２外側面被覆部４１は、通路５の外側の開口５２を第１外側面被覆部３２との間で形成する開口形成部４１１と、開口形成部４１１の上端部から外側に張り出すとともに開口形成部４１１から上方に延びる被覆側延設部４１２と、開口形成部４１１の下端部から下に延びて第１外側面被覆部３２の下端部よりも下方に位置する下方延出部４１３と、下方延出部４１３から腰壁本体２側に延びる本体側延設部４１１ａとを備えている。
【００５５】
開口形成部４１１は、図３に示すように、上下方向に延びる板状の部分であって、第１外側面被覆部３２の下端部と同じ高さ位置及びこれよりも上に配置され、かつ、後述する下方延出部４１３よりも上の部分である。開口形成部４１１の下端部と第１外側面被覆部３２の下端部との間に開口５２が形成されている。また、開口形成部４１１は、第１外側面被覆部３２と平行に配置され、開口形成部４１１の内側面と第１外側面被覆部３２の外側面との間の距離は寸法Ｌ３に設定されている。つまり、開口形成部４１１と第１外側面被覆部３２との間には、一定の断面積を持って開口５２から上に延びる前記通路の一部が形成されている。
【００５６】
また、開口５２は、第１外側面被覆部３２と外装壁２２の上端部の外側面との間隙３０ａの外側に形成されている。また、開口形成部４１１の内側面と第１外側面被覆部３２の外側面との距離Ｌ３は、第１外側面被覆部３２の内側面と外装壁２２の上端部の外側面との距離Ｌ４より大きい。開口形成部４１１及び第１外側面被覆部３２は、図２及び図３の紙面の奥行き方向においても平行に延びているため、開口５２の断面積（流体の流れる方向に直交する断面積。以下同様）は、第１外側面被覆部３２と外装壁２２の上端部の外側面との間隙３０ａの断面積よりも大きい。
【００５７】
下方延出部４１３は、開口形成部４１１と同一平面上に設けられた板状の部分である。このように下方延出部４１３が開口形成部４１１、つまり、第１外側面被覆部３２よりも下に延びていることにより、腰壁１をバルコニーに採用した場合に当該腰壁１を下から見上げたときであっても第１外側面被覆部３２を下方延出部４１３により隠すことができ、外観が良好となる。
【００５８】
本体側延設部４１１ａは、第１外側面被覆部３２よりも下の位置で下方延出部４１３から第１外側面被覆部３２よりも外側の位置まで水平方向に延びている。後述するが、本体側延設部４１１ａは、外装壁２２の外側面に沿って形成され、雨水を伴う風（流体）の上昇流を通路５内に効率よく導くことに寄与する。
【００５９】
被覆側延設部４１２は、当該被覆側延設部４１２と第１被覆部材３との間に通路５の一部である大断面部５３を形成する。具体的に、被覆側延設部４１２は、第１外側面被覆部３２と平行となるように上下方向に延び、さらに、図２及び図３の紙面と直交する方向においても第１外側面被覆部３２と平行となるように水平方向に延びている。そして、被覆側延設部４１２の内側面と第１外側面被覆部３２の外側面との間の距離Ｌ５は、開口形成部４１１の内側面と第１外側面被覆部３２の外側面との間の距離Ｌ３よりも大きく設定されている。その結果、大断面部５３の断面積は、開口形成部４１１と第１外側面被覆部３２との間の通路（開口５２）の断面積よりも大きい。
【００６０】
上面被覆部４２は、通路５の一部であり大断面部５３から内側に延びる通路中間部５４を当該上面被覆部４２と第１被覆部材３の上壁３１との間に形成する。上面被覆部４２は、被覆側延設部４１２の上端から内側かつ上方に向けて鈍角に延びる第１上面被覆部４２１と、第１上面被覆部４２１の内側端から内側かつ下方に向けて鈍角に延びる第２上面被覆部４２２とを備えている。
【００６１】
第１上面被覆部４２１は、被覆側延設部４１２の上端から内側かつ上方に向けて鈍角に延びているため、第１上面被覆部４２１により形成される通路中間部５４の断面積は、内側（Ｘ１側）に向かうに従い大きくなる。これにより、通路中間部５４内において流体が内側に流れ易くなる。
【００６２】
内側面被覆部４３は、第１内側面被覆部３３と平行となるように第２上面被覆部４２２の内側端から下方に延び、かつ、第１内側面被覆部３３と平行となるように図２及び図３の紙面と直交する方向に延びている。これにより、内側面被覆部４３と第１内側面被覆部３３との間には、通路５の出口５５が形成されている。
【００６３】
また、第２被覆部材４は、内側面被覆部４３の下端部から腰壁本体側に延びる本体側延設部４３１をさらに備えている。この本体側延設部４３１は、第２緩衝材３５よりも下方位置に配置されている。
【００６４】
各支持部材６は、第１被覆部材３と第２被覆部材４との間に通路５が形成されるように第２被覆部材４を第１被覆部材３上に支持する。具体的に、各支持部材６は、図１及び図２に示すように、第２被覆部材４の上面被覆部４２を支持する支持部６１、６２と、第２被覆部材４の第２外側面被覆部４１を係止する係止部６３、６４と、腰壁本体２の被覆部材固定部２１２に取り付けられる被取付部６５とを備えている。
【００６５】
被取付部６５は、第１被覆部材３の上壁３１上に載置された状態でビス７によって被覆部材固定部２１２の板材２１２ａに対して第１被覆部材３の上壁３１と共に固定されている。
【００６６】
支持部６１は、被取付部６５上に立設され、第１上面被覆部４２１を下から支持する支持面を有する。また、支持部６２は、被取付部６５上に立設され、第２上面被覆部４２２を下から支持する支持面を有する。
【００６７】
係止部６３は、被取付部６５から外側に延びるとともに下に向けて屈曲された部分であり、第２外側面被覆部４１の本体側延設部４１１ａを係脱自在に係止する。具体的に、係止部６３は、支持部６１、６２により下向きの移動が規制された（支持された）第２被覆部材４の上向きの移動を規制するように本体側延設部４１１ａに係止されている。
【００６８】
同様に、係止部６４は、被取付部６５から内側に延びるとともに下に向けて屈曲された部分であり、第２内側面被覆部４３の本体側延設部４３１を係脱自在に係止する。具体的に、係止部６４は、支持部６１、６２により下向きの移動が規制された（支持された）第２被覆部材４の上向きの移動を規制するように本体側延設部４１１ａに係止されている。
【００６９】
第２被覆部材４の本体側延設部４１１ａ、４３１を互いに離間する方向に弾性変形させることにより、第２被覆部材４に対する両係止部６４の係止を解除することができ、この状態で第２被覆部材４を取り外すことができる。
【００７０】
そして、被覆部材固定部２１２に取り付けられ支持部材６の支持部６１に第２被覆部材４の第１上面被覆部４２１が支持されるとともに、支持部６２に第２被覆部材４の第２上面被覆部４２２が支持される。この状態で、係止部６３に第２被覆部材４の本体側延設部４１１ａが係止され、係止部６４に第２被覆部材４の本体側延設部４３１が係止される。これにより、第２被覆部材４と第１被覆部材との間に通路５が形成された状態で、第２被覆部材４が支持部材６に支持される。
【００７１】
次に、腰壁１の機能について説明する。例えば、上記腰壁１によれば、強風を伴う雨（以下、流体という）が降っている場合に、腰壁本体２の外装壁２２の外側面２２ａに対して外側から風が吹き付けられて形成された流体の上昇流を通路５を通じて腰壁１の内側（裏側）に導くことができる。
【００７２】
具体的に、第１外側面被覆部３２と開口形成部４１１との間に形成される通路５の断面積は、腰壁本体２の上端部の外側面と第１外側面被覆部３２との間の間隙３０ａの断面積よりも大きい。つまり、通路５の断面積と比較して間隙３０ａの断面積が絞られている。そのため、図２及び図３の矢印Ｐ１で示すように、通路５の開口５２及び間隙３０ａの入口に到達した流体を間隙３０ａよりも通路５に優先して流すことができる。
【００７３】
しかも、第１外側面被覆部３２と開口形成部４１１との間に形成される通路５の断面積が被覆側延設部４１２と第１外側面被覆部３２との間に形成される通路（大断面部５３）の断面積よりも小さい。そのため、一旦通路５の開口５２内に導かれた流体は、矢印Ｐ３に示すように、より断面積の大きな被覆側延設部４１２と第１外側面被覆部３２との間に形成される通路（大断面部５３）内、つまり、通路５の奥へスムーズに導くことができる。
【００７４】
従って、腰壁本体２の内部（例えば、壁支持部材２１）に雨水が入り込むのを抑制することができる。
【００７５】
また、第１被覆部材３の第１外側面被覆部３２の下端部から内側へ延びる抑制面３４ａが設けられている。抑制面３４ａによって腰壁本体２の上端部と第１外側面被覆部３２との間の流体の流れを抑制することができるため、腰壁本体２の外側面に沿った流体の上昇流をより効果的に通路５の開口５２内に導くことができる。
【００７６】
その一方で、抑制面３４ａが設けられている場合、流体の上昇流の一部が、抑制面３４ａにより第１外側面被覆部３２と腰壁本体２との間隙３０ａへの侵入が抑制される結果、流体が外側（腰壁本体２から離れる側）に逃げようとする。ここで、第２被覆部材４は、下方延出部４１３を有しているため、矢印Ｐ１に示すように、腰壁本体２から離れる側に逃げようとする流体の流れを下方延出部４１３で受けて開口５２内に導くことができる。したがって、より積極的に開口５２内への流体の流れを形成することができる。
【００７７】
ここで、下方延出部４１３を有する構成においては、下方延出部４１３で受けた流体の一部が下方に巻き返して再び腰壁本体２の外側面に沿った上昇流に合流して、通路５へ向けた流体の流れを妨害するおそれがある。そこで、第２被覆部材４が本体側延設部４１１ａを有しているため、矢印Ｐ２に示すように、下方延出部４１３に導かれた流体の下方への移動を本体側延設部４１１ａにより規制することができるため、下方延出部に導かれた流体をより効率よく通路５内に導くことができる。
【００７８】
そして、第１上面被覆部４２１が被覆側延設部４１２の上端から内側かつ上方に向けて鈍角に延びるとともに第２上面被覆部４２２が第１上面被覆部４２１の内側端から内側かつか法に向けて鈍角に延びている。これにより、被覆側延設部４１２と第１外側面被覆部３２との間に導かれた流体を第１上面被覆部４２１及び第２上面被覆部４２２に沿って鈍角に方向転換させて腰壁１の内側（裏側）まで導くことができる（図２及び図３の矢印Ｐ４、Ｐ５）。したがって、通路５内に導入された流体をスムーズに流すことができる。
【００７９】
そして、流体は、通路中間部５４から出口５５へ流れ、出口５５から腰壁１の内側（裏側）で排出される。
【００８０】
このように腰壁１では、開口形成部４１１と第１外側面被覆部３２との間の通路の断面積を腰壁本体２の上端部の外側面と第１被覆部材３との間隙３０ａの断面積よりも大きくすることにより、流体を間隙３０ａに優先して通路５に導くことができる。したがって、腰壁本体２の上端部の外側面と第１被覆部材３との間隙３０ａをシーリングする工程を省略することができるので、容易かつ低コストで腰壁本体２の内部に雨水が入るのを抑制することができる。
【００８１】
また、開口形成部４１１と第１外側面被覆部３２との距離Ｌ３が、腰壁本体２の上端部の外側面と第１外側面被覆部３２との距離Ｌ４よりも大きく、且つ、被覆側延設部４１２と第１外側面被覆部３２との距離Ｌ５よりも小さく設定されている。これにより、開口形成部４１１と第１外側面被覆部３２と被覆側延設部４１２との距離に応じて断面積の調整を行うことができる。
【００８２】
腰壁本体２の寸法精度に応じて当該腰壁本体２と第１外側面被覆部３２との間の間隔にばらつきが生じるが、前記態様によれば、第１外側面被覆部３２と腰壁本体２との間で緩衝材３４を挟み込むことによって第１外側面被覆部３２と腰壁本体２との間の隙間を容易に塞ぐことができる。そして、この緩衝材３４を抑制面３４ａを構成するものとして兼用することができる。
【００８３】
支持部材６は、第１上面被覆部４２１を支持する支持部６１と、第２上面被覆部４２２を支持する支持部６２とを有している。これにより、上記のように互いに鈍角に接続される第１上面被覆部４２１及び第２上面被覆部４２２が外力に対して変形し難くなる。また、両被覆部４２１、４２２は、水平面に対して傾斜しているため、第２被覆部材４上に雨水が溜まるのを抑制することができる。
【００８４】
以上のように、腰壁１によれば、腰壁本体２の外側面２２ａに強風を伴う雨が降っている場合でも、第１被覆部材３と第２被覆部材４との間に通路５が形成されているため、雨水が通路５を円滑に流れ、第１被覆部材３と腰壁本体２の外側面２２ａとの間隙３０ａに入り込むのを抑制することができる。したがって、雨水が腰壁本体２の内部に入り込むおそれが少ない。
【符号の説明】
【００８５】
１    腰壁
２    腰壁本体
３    第１被覆部材
４    第２被覆部材
５    通路
６    支持部材
３０ａ    間隙（腰壁本体の上端部の外側面と第１外側面被覆部との間隙）
３２    第１外側面被覆部
３４    緩衝材
３４ａ    抑制面
４１    第２外側面被覆部
４２    上面被覆部
５２    開口
６１、６２    支持部
４１１    開口形成部
４１１ａ    本体側延設部
４１２    被覆側延設部
４１３    下方延出部
４２１    第１上面被覆部
４２２    第２上面被覆部
【図１】
2018193712.tif 000003
【図２】
2018193712.tif 000004
【図３】
2018193712.tif 000005
【手続補正書】
【提出日】平成30年7月31日(2018.7.31)
【手続補正１】
【補正対象書類名】明細書
【補正対象項目名】全文
【補正方法】変更
【補正の内容】
【発明の詳細な説明】
【技術分野】
【０００１】
本発明は、建造物のバルコニー、屋上あるいは陸屋根等に形成される腰壁に関するものである。
【背景技術】
【０００２】
従来から、建物におけるバルコニー、屋上あるいは陸屋根等に形成される腰壁は、広く知られており、例えば特許文献１に、腰壁（パラペット）が開示されている。
【０００３】
特許文献１に開示された腰壁は、腰壁本体（壁体及びサイディング）と、腰壁本体の上端部の外側面、内側面及び上面を覆うように腰壁本体の上端部を被覆する被覆部材（防水シート）と、被覆部材の外側端部と腰壁本体の上端部の外側面との間及び被覆部材の内側端部と腰壁本体の上端部の内側面との間に設けられたＬ型通気部材とを備えている。
【０００４】
特許文献１に開示の腰壁では、Ｌ型通気部材を介して腰壁本体の内部に空気を導入可能としならが、Ｌ型通気部材によって腰壁本体の内部への虫等の侵入が防止されている。
【先行技術文献】
【特許文献】
【０００５】
【特許文献１】特開２０１２−７４３３号公報
【発明の概要】
【発明が解決しようとする課題】
【０００６】
しかしながら、特許文献１に開示の腰壁では、被覆部材の外側端部と腰壁本体の上端部の外側面との間、及び被覆部材の内側端部と腰壁本体の上端部の内側面との間を通じて腰壁本体内に雨水等が侵入してしまうおそれがある。
【０００７】
具体的に、例えば、強風を伴う雨が降っている場合、風が腰壁本体の外側面に勢いよく当たると当該外側面に沿った風の上昇流が生じ、当該上昇流に沿って雨水が腰壁本体と被覆部材との間を通じて腰壁本体内に侵入してしまうおそれがある。
【０００８】
本発明の目的は、腰壁本体の内部に雨水が入り込むのを抑制することができる腰壁を提供することにある。
【課題を解決するための手段】
【０００９】
上記課題を解決するため、本発明は、腰壁であって、腰壁本体と、前記腰壁本体の上端部の外側面、内側面及び上面を覆うように前記腰壁本体の上端部を被覆する第１被覆部材であって、前記腰壁本体の上端部の外側面を被覆する第１外側面被覆部を有する第１被覆部材と、前記第１被覆部材の外側面、内側面及び上面との間に通路が形成された状態で前記第１被覆部材の外側面、内側面及び上面を覆う第２被覆部材と、を備え、前記第１外側面被覆部の外側面を被覆する前記第２被覆部材の第２外側面被覆部は、前記通路の外側の開口を前記第１外側面被覆部との間で形成する開口形成部と、前記開口形成部の上端部から外側に張り出すとともに前記開口形成部から上方に延びる被覆側延設部とを備え、前記第１外側面被覆部と前記開口形成部との間に形成される前記通路の断面積は、前記腰壁本体の上端部の外側面と前記第１外側面被覆部との間隙の断面積よりも大きく、且つ、前記被覆側延設部と前記第１外側面被覆部との間に形成される前記通路の断面積よりも小さく、前記第１被覆部材は、前記第１外側面被覆部と前記腰壁本体の上端部との間の流体の流れを抑制するために前記第１外側面被覆部の下端から内側へ向けて前記腰壁本体の外側面まで延びる抑制面をさらに備え、前記第２外側面被覆部は、前記開口形成部の下端部から下に延びて前記第１外側面被覆部の下端部よりも下方に位置する下方延出部と、前記下方延出部から前記腰壁本体側に延びて前記抑制面よりも下方に位置する本体側延設部と、を有する、腰壁を提供する。
【００１０】
本発明によれば、第２被覆部材と第１被覆部材との間に通路が形成されているため、例えば強風を伴う雨（以下、流体という）が降っている場合に、流体が腰壁本体の外側面に吹き付けられて形成された流体の上昇流を通路を通じて腰壁の内側（裏側）に導くことができる。
【００１１】
具体的に、前記第１外側面被覆部と前記開口形成部との間に形成される前記通路の断面積は、前記腰壁本体の上端部の外側面と前記第１外側面被覆部との間隙の断面積よりも大きい。つまり、通路の断面積と比較して間隙の断面積が絞られている。そのため、通路の開口及び間隙の入り口に到達した流体を間隙よりも通路に優先して流すことができる。
【００１２】
しかも、前記第１外側面被覆部と前記開口形成部との間に形成される前記通路の断面積が前記被覆側延設部と前記第１外側面被覆部との間に形成される前記通路の断面積よりも小さい。そのため、一旦通路の開口内に導かれた流体は、より断面積の大きな被覆側延設部と第１外側面被覆部との間に形成される通路内、つまり、通路の奥へスムーズに導くことができる。
【００１３】
従って、腰壁本体の内部に雨水が入り込むのを抑制することができる。
【００１４】
また、本発明によれば、例えば腰壁本体の上端部の外側面と第１被覆部材との間隙をシーリングする工程を省略することができるので、容易かつ低コストで腰壁本体の内部に雨水が入るのを抑制することができる。
【００１５】
本発明では、前記第１被覆部材は、前記第１外側面被覆部と前記腰壁本体の上端部との間の流体の流れを抑制するために前記第１外側面被覆部から内側へ延びる抑制面をさらに備えている。
【００１６】
これにより、抑制面によって腰壁本体の上端部と第１外側面被覆部との間の流体の流れを抑制することができるため、腰壁本体の外側面に沿った流体の上昇流をより効果的に通路の開口内に導くことができる。
【００１７】
本発明では、前記第２外側面被覆部は、前記開口形成部の下端部から下に延びて前記第１外側面被覆部の下端部よりも下方に位置する下方延出部を有する。
【００１８】
上記のように抑制面を有する構成においては、流体の上昇流の一部が、抑制面により第１外側面被覆部と腰壁本体との間隙への侵入が抑制される結果、外側（腰壁本体から離れる側）に逃げようとする。前記態様によれば、このように腰壁本体から離れる側に逃げようとする流体の流れを下方延出部で受けて開口内に導くことができるため、より積極的に開口内への流体の流れを形成することができる。
【００１９】
本発明では、前記第２外側面被覆部は、前記下方延出部から前記腰壁本体側に延びる本体側延設部を備えている。
【００２０】
上記のように下方延出部を有する構成においては、下方延出部で受けた流体の一部が下方に巻き返して再び腰壁本体の外側面に沿った上昇流に合流して、通路へ向けた流体の流れを妨害するおそれがある。前記態様によれば、下方延出部に導かれた流体の下方への移動を本体側延設部により規制することができるため、下方延出部に導かれた流体をより効率よく通路の開口内に導くことができる。
【００２１】
なお、本発明において『断面積』は、通路に沿って流体が流れている状態において当該流体の流れ方向に直交する断面積を意味する。
【００２２】
具体的に、前記腰壁において、前記開口形成部と前記第１外側面被覆部との距離が、前記腰壁本体の上端部の外側面と前記第１外側面被覆部との距離よりも大きく、且つ、前記被覆側延設部と前記第１外側面被覆部との距離よりも小さい構成とすることができる。
【００２３】
これによれば、開口形成部と第１外側面被覆部と被覆側延設部との距離に応じて断面積の調整を行うことができる。
【００２４】
前記腰壁において、前記第１被覆部材は、前記第１外側面被覆部と前記腰壁本体の上端部との間に設けられた緩衝材をさらに備え、前記緩衝材は、前記抑制面を有することが好ましい。
【００２５】
腰壁本体の寸法精度に応じて当該腰壁本体と第１外側面被覆部との間の間隔にばらつきが生じるが、前記態様によれば、第１外側面被覆部と腰壁本体との間で緩衝材を挟み込むことによって第１外側面被覆部と腰壁本体との間の隙間を容易に塞ぐことができる。そして、この緩衝材を抑制面を構成するものとして兼用することができる。
【００２６】
前記腰壁において、前記緩衝材は、通気性を有することが好ましい。
【００２７】
前記腰壁において、前記第１被覆部材の上面を被覆する前記第２被覆部材の上面被覆部は、前記被覆側延設部の上端から内側かつ上方に向けて鈍角に延びる第１上面被覆部と、前記第１上面被覆部の内側端から内側かつ下方に向けて鈍角に延びる第２上面被覆部とを有することが好ましい。
【００２８】
この態様によれば、被覆側延設部と第１外側面被覆部との間に導かれた流体を第１上面被覆部及び第２上面被覆部に沿って鈍角に方向転換させて腰壁の内側（裏側）まで導くことができる。したがって、通路内に導入された流体をよりスムーズに流すことができる。
【００２９】
前記腰壁において、前記第１被覆部材と前記第２被覆部材との間に前記通路が形成されるように前記第２被覆部材を前記第１被覆部材上に支持する支持部材をさらに備え、前記支持部材は、前記第１上面被覆部を支持する部分と、前記第２上面被覆部を支持する部分とを有することが好ましい。
【００３０】
この態様によれば、上記のように互いに鈍角に接続される第１上面被覆部及び第２上面被覆部が外力に対して変形し難くなる。
【００３１】
前記腰壁において、前記第１被覆部材は、前記腰壁本体の上面を上から覆う上壁を有し、前記第２被覆部材の前記第１上面被覆部は、前記第１被覆部材の前記上壁の上方に配置され、前記第２被覆部材の前記第１上面部と前記第１被覆部材の前記上壁との距離が内側に向かって拡大することが好ましい。
【発明の効果】
【００３２】
本発明によれば、腰壁本体の内部に雨水が入り込むのを抑制することができる。
【図面の簡単な説明】
【００３３】
【図１】本発明の実施形態に係る腰壁の要部の分解斜視図である。
【図２】図１の腰壁の断面図である。
【図３】図２の一部を拡大して示す断面図である。
【発明を実施するための形態】
【００３４】
以下添付図面を参照しながら、本発明の実施の形態について説明する。なお、以下の実施の形態は、本発明を具体化した例であって、本発明の技術的範囲を限定する性格のものではない。
【００３５】
図１は、本発明の実施形態に係る腰壁の要部の分解斜視図、図２は、図１の腰壁の断面図、図３は、図２の一部を拡大して示す断面図である。
【００３６】
腰壁１は、建造物におけるバルコニー、屋上あるいは陸屋根等に形成されるものである。具体的に、腰壁１は、図１〜図３に示すように、腰壁本体２と、腰壁本体２の上端部を被覆する第１被覆部材（水切り）３と、第１被覆部材３を被覆する第２被覆部材（笠木）４と、第２被覆部材４を第１被覆部材３上で支持する複数（この実施形態では３つ）の支持部材６とを備えている。尚、図のＸ１方向を建築物に近づく側（内側）とし、Ｘ２方向を建築物から離れる側（外側）として説明する。
【００３７】
腰壁本体２は、図２に示すように、壁支持部材２１と、壁支持部材２１の外側で当該壁支持部材２１に支持された外装壁２２と、壁支持部材２１の内側で当該壁支持部材２１に支持された内装壁２３とを備えている。
【００３８】
壁支持部材２１は、壁支持部材本体２１１と、第１被覆部材３及び第２被覆部材４を固定する被覆部材固定部２１２を備えている。
【００３９】
壁支持部材本体２１１は、断面Ｃ字状の溝型鋼が枠状に組み付けられたものである。
【００４０】
被覆部材固定部２１２は、取付ボルト２１１ａ及びナット２１１ｂによって壁支持部材本体２１１の上面に固定されている。被覆部材固定部２１２の上面には、板材２１２ａが固定され、この板材２１２ａに対してビス７によって第１被覆部材３及び支持部材６が固定されている。詳しくは後述するが、支持部材６に対して第２被覆部材４が係止され、これにより第２被覆部材４は、第１被覆部材３上に支持されている。
【００４１】
外装壁２２は、所定の厚さを有する板状のものである。外装壁２２の外側面２２ａには、溝２２１が形成されている。外装壁２２は、溝２２１が外側を向くように、壁支持部材２１に取り付けられている。
【００４２】
内装壁２３は、所定の厚さを有する板状のものである。内装壁２３の内側面２３ａには、溝２３１が形成されている。内装壁２３は、溝２３１が内側を向くように、壁支持部材２１に取り付けられている。
【００４３】
第１被覆部材３は、図１に示すように、腰壁本体２の上面を上から覆う上壁３１と、腰壁本体２の上端部の外側面を外側から覆う第１外側面被覆部３２と、腰壁本体２の上端部の内側面を内側から覆う第１内側面被覆部３３とを備えた金属板である。
【００４４】
上壁３１は、腰壁本体２の上面を覆うことができるように腰壁本体２の内外方向の幅寸法Ｗ２（図２参照）よりも大きな幅寸法Ｗ１（図１及び図２参照）を有する。また、上壁３１の長さ寸法Ｌ１は、腰壁本体２の上面を覆うことができるように腰壁本体２の上面の長さよりも大きくすることができる。一方、上壁３１の長さ寸法Ｌ１が腰壁本体２の上面の長さ寸法よりも小さい場合、複数の第１被覆部材３を長さ方向に並べて腰壁本体２の上面を被覆することもできる。
【００４５】
第１外側面被覆部３２は、上壁３１における外側端から所定長さで下方に延びている。
【００４６】
第１内側面被覆部３３は、上壁３１における内側端から所定長さで下方に延びている。
【００４７】
第１被覆部材３は、図２に示すように、上壁３１を貫くビス７によって被覆部材固定部２１２に固定されている。
【００４８】
第１被覆部材３が被覆部材固定部２１２に取り付けられることにより、第１被覆部材３の上壁３１が腰壁本体２の上面を上から被覆するとともに、第１被覆部材３の第１外側面被覆部３２が腰壁本体２の上端部の外側面２２ａを外側から被覆し、また、第１被覆部材３の第１内側面被覆部３３が腰壁本体２の上端部の内側面２３ａを内側から被覆する。なお、腰壁本体２の長さ寸法よりも第１被覆部材３の長さ寸法が小さい場合には、複数の第１被覆部材３を長さ方向に並べて腰壁本体２の上面全体、腰壁本体２の上端部の外側面２２ａの長さ方向の全体、及び腰壁本体２の上端部の内側面２３ａの長さ方向の全体を覆うことができる。
【００４９】
また、第１被覆部材３は、第１外側面被覆部３２の下端部と腰壁本体２の上端部の外側面との間に設けられた第１緩衝材（緩衝材）３４と、第１内側面被覆部３３の下端部と腰壁本体２の上端部の内側面との間に設けられた第２緩衝材３５とを備えている。
【００５０】
両緩衝材３４、３５は、外装壁２２及び内装壁２３の取付位置の誤差を吸収するために両被覆部３２、３３と腰壁本体２との間の隙間を埋めるためのものである。具体的に、両緩衝材３４、３５は、弾性及び通気性を有する部材であり、例えば、スポンジ状のエチレン・プロピレンゴム（ＥＰＴ）を用いることができる。なお、両緩衝材３４、３５が両被覆部３２、３３の下端部に設けられている例について説明したが、両緩衝材３４、３５は、両被覆部３２、３３の下端部よりも上に配置されていてもよい。
【００５１】
具体的に、第１緩衝材３４は、第１外側面被覆部３２の下端部と外装壁２２の上端部の外側面との間に挟持され、その結果、第１外側面被覆部３２と外装壁２２との間には間隙３０ａが形成されている。第２緩衝材３５は、第１内側面被覆部３３の下端部と内装壁２３の上端部の内側面との間に挟持され、その結果、第１内側面被覆部３３と内装壁２３との間には間隙３０ｂが形成されている。ここで、両被覆部３２、３３は、両壁２２、２３と平行となるように上下方向に延びている。そのため、両被覆部３２、３３と両壁２２、２３との間には、間隙３０ａ、３０ｂに対応する一定の断面積を持って上に延びる通路がそれぞれ形成されている。これらの通路は、上壁３１と腰壁本体２の上面との間の隙間を通じて互いに連通している。
【００５２】
また、第１緩衝材３４の下面は、第１外側面被覆部３２と腰壁本体２の上端部との間の流体の流れを抑制するのに寄与する。つまり、第１緩衝材３４の下面は、第１外側面被覆部３２と腰壁本体２の上端部との間の流体の流れを抑制するために第１外側面被覆部３２から内側へ延びる抑制面として機能する。
【００５３】
なお、抑制面３４ａは、第１緩衝材３４の下面により形成されるものに限らず、例えば第１被覆部材３の第１外側面被覆部３２の下端部の一部を内側に折り曲げ成形することによって形成してもよく、適宜変更できる。ただし、第１緩衝材３４には、外装壁２２の外側面及び内装壁２３の内側面間の距離の製作誤差を吸収し、確実に間隙３０ａ、３０ｂを塞ぐことができ、さらに、間隙３０ａ、３０ｂから虫等の侵入を確実に防止できる機能が要求される。したがって、このような機能を有する第１緩衝材３４の下面を抑制面３４ａとして利用することにより、別途に抑制面３４ａの形成が不要となる。
【００５４】
次に、第２被覆部材４について説明する。第２被覆部材４は、第１被覆部材３の第１外側面被覆部３２の外側面、第１内側面被覆部３３の内側面及び上壁３１の上面との間に通路５が形成された状態で第１被覆部材３の外側面、内側面及び上面を覆うものである。
【００５５】
第２被覆部材４は、第１外側面被覆部３２の外側面を外側から被覆する第２外側面被覆部４１と、上壁３１の上面を上から被覆する上面被覆部４２と、第１内側面被覆部３３の内側面を内側から被覆する内側面被覆部４３とを備えている。
【００５６】
第２外側面被覆部４１は、通路５の外側の開口５２を第１外側面被覆部３２との間で形成する開口形成部４１１と、開口形成部４１１の上端部から外側に張り出すとともに開口形成部４１１から上方に延びる被覆側延設部４１２と、開口形成部４１１の下端部から下に延びて第１外側面被覆部３２の下端部よりも下方に位置する下方延出部４１３と、下方延出部４１３から腰壁本体２側に延びる本体側延設部４１１ａとを備えている。
【００５７】
開口形成部４１１は、図３に示すように、上下方向に延びる板状の部分であって、第１外側面被覆部３２の下端部と同じ高さ位置及びこれよりも上に配置され、かつ、後述する下方延出部４１３よりも上の部分である。開口形成部４１１の下端部と第１外側面被覆部３２の下端部との間に開口５２が形成されている。また、開口形成部４１１は、第１外側面被覆部３２と平行に配置され、開口形成部４１１の内側面と第１外側面被覆部３２の外側面との間の距離は寸法Ｌ３に設定されている。つまり、開口形成部４１１と第１外側面被覆部３２との間には、一定の断面積を持って開口５２から上に延びる前記通路の一部が形成されている。
【００５８】
また、開口５２は、第１外側面被覆部３２と外装壁２２の上端部の外側面との間隙３０ａの外側に形成されている。また、開口形成部４１１の内側面と第１外側面被覆部３２の外側面との距離Ｌ３は、第１外側面被覆部３２の内側面と外装壁２２の上端部の外側面との距離Ｌ４より大きい。開口形成部４１１及び第１外側面被覆部３２は、図２及び図３の紙面の奥行き方向においても平行に延びているため、開口５２の断面積（流体の流れる方向に直交する断面積。以下同様）は、第１外側面被覆部３２と外装壁２２の上端部の外側面との間隙３０ａの断面積よりも大きい。
【００５９】
下方延出部４１３は、開口形成部４１１と同一平面上に設けられた板状の部分である。このように下方延出部４１３が開口形成部４１１、つまり、第１外側面被覆部３２よりも下に延びていることにより、腰壁１をバルコニーに採用した場合に当該腰壁１を下から見上げたときであっても第１外側面被覆部３２を下方延出部４１３により隠すことができ、外観が良好となる。
【００６０】
本体側延設部４１１ａは、第１外側面被覆部３２よりも下の位置で下方延出部４１３から第１外側面被覆部３２よりも外側の位置まで水平方向に延びている。後述するが、本体側延設部４１１ａは、外装壁２２の外側面に沿って形成され、雨水を伴う風（流体）の上昇流を通路５内に効率よく導くことに寄与する。
【００６１】
被覆側延設部４１２は、当該被覆側延設部４１２と第１被覆部材３との間に通路５の一部である大断面部５３を形成する。具体的に、被覆側延設部４１２は、第１外側面被覆部３２と平行となるように上下方向に延び、さらに、図２及び図３の紙面と直交する方向においても第１外側面被覆部３２と平行となるように水平方向に延びている。そして、被覆側延設部４１２の内側面と第１外側面被覆部３２の外側面との間の距離Ｌ５は、開口形成部４１１の内側面と第１外側面被覆部３２の外側面との間の距離Ｌ３よりも大きく設定されている。その結果、大断面部５３の断面積は、開口形成部４１１と第１外側面被覆部３２との間の通路（開口５２）の断面積よりも大きい。
【００６２】
上面被覆部４２は、通路５の一部であり大断面部５３から内側に延びる通路中間部５４を当該上面被覆部４２と第１被覆部材３の上壁３１との間に形成する。上面被覆部４２は、被覆側延設部４１２の上端から内側かつ上方に向けて鈍角に延びる第１上面被覆部４２１と、第１上面被覆部４２１の内側端から内側かつ下方に向けて鈍角に延びる第２上面被覆部４２２とを備えている。
【００６３】
第１上面被覆部４２１は、被覆側延設部４１２の上端から内側かつ上方に向けて鈍角に延びているため、第１上面被覆部４２１により形成される通路中間部５４の断面積は、内側（Ｘ１側）に向かうに従い大きくなる。これにより、通路中間部５４内において流体が内側に流れ易くなる。
【００６４】
内側面被覆部４３は、第１内側面被覆部３３と平行となるように第２上面被覆部４２２の内側端から下方に延び、かつ、第１内側面被覆部３３と平行となるように図２及び図３の紙面と直交する方向に延びている。これにより、内側面被覆部４３と第１内側面被覆部３３との間には、通路５の出口５５が形成されている。
【００６５】
また、第２被覆部材４は、内側面被覆部４３の下端部から腰壁本体側に延びる本体側延設部４３１をさらに備えている。この本体側延設部４３１は、第２緩衝材３５よりも下方位置に配置されている。
【００６６】
各支持部材６は、第１被覆部材３と第２被覆部材４との間に通路５が形成されるように第２被覆部材４を第１被覆部材３上に支持する。具体的に、各支持部材６は、図１及び図２に示すように、第２被覆部材４の上面被覆部４２を支持する支持部６１、６２と、第２被覆部材４の第２外側面被覆部４１を係止する係止部６３、６４と、腰壁本体２の被覆部材固定部２１２に取り付けられる被取付部６５とを備えている。
【００６７】
被取付部６５は、第１被覆部材３の上壁３１上に載置された状態でビス７によって被覆部材固定部２１２の板材２１２ａに対して第１被覆部材３の上壁３１と共に固定されている。
【００６８】
支持部６１は、被取付部６５上に立設され、第１上面被覆部４２１を下から支持する支持面を有する。また、支持部６２は、被取付部６５上に立設され、第２上面被覆部４２２を下から支持する支持面を有する。
【００６９】
係止部６３は、被取付部６５から外側に延びるとともに下に向けて屈曲された部分であり、第２外側面被覆部４１の本体側延設部４１１ａを係脱自在に係止する。具体的に、係止部６３は、支持部６１、６２により下向きの移動が規制された（支持された）第２被覆部材４の上向きの移動を規制するように本体側延設部４１１ａに係止されている。
【００７０】
同様に、係止部６４は、被取付部６５から内側に延びるとともに下に向けて屈曲された部分であり、第２内側面被覆部４３の本体側延設部４３１を係脱自在に係止する。具体的に、係止部６４は、支持部６１、６２により下向きの移動が規制された（支持された）第２被覆部材４の上向きの移動を規制するように本体側延設部４１１ａに係止されている。
【００７１】
第２被覆部材４の本体側延設部４１１ａ、４３１を互いに離間する方向に弾性変形させることにより、第２被覆部材４に対する両係止部６４の係止を解除することができ、この状態で第２被覆部材４を取り外すことができる。
【００７２】
そして、被覆部材固定部２１２に取り付けられ支持部材６の支持部６１に第２被覆部材４の第１上面被覆部４２１が支持されるとともに、支持部６２に第２被覆部材４の第２上面被覆部４２２が支持される。この状態で、係止部６３に第２被覆部材４の本体側延設部４１１ａが係止され、係止部６４に第２被覆部材４の本体側延設部４３１が係止される。これにより、第２被覆部材４と第１被覆部材との間に通路５が形成された状態で、第２被覆部材４が支持部材６に支持される。
【００７３】
次に、腰壁１の機能について説明する。例えば、上記腰壁１によれば、強風を伴う雨（以下、流体という）が降っている場合に、腰壁本体２の外装壁２２の外側面２２ａに対して外側から風が吹き付けられて形成された流体の上昇流を通路５を通じて腰壁１の内側（裏側）に導くことができる。
【００７４】
具体的に、第１外側面被覆部３２と開口形成部４１１との間に形成される通路５の断面積は、腰壁本体２の上端部の外側面と第１外側面被覆部３２との間の間隙３０ａの断面積よりも大きい。つまり、通路５の断面積と比較して間隙３０ａの断面積が絞られている。そのため、図２及び図３の矢印Ｐ１で示すように、通路５の開口５２及び間隙３０ａの入口に到達した流体を間隙３０ａよりも通路５に優先して流すことができる。
【００７５】
しかも、第１外側面被覆部３２と開口形成部４１１との間に形成される通路５の断面積が被覆側延設部４１２と第１外側面被覆部３２との間に形成される通路（大断面部５３）の断面積よりも小さい。そのため、一旦通路５の開口５２内に導かれた流体は、矢印Ｐ３に示すように、より断面積の大きな被覆側延設部４１２と第１外側面被覆部３２との間に形成される通路（大断面部５３）内、つまり、通路５の奥へスムーズに導くことができる。
【００７６】
従って、腰壁本体２の内部（例えば、壁支持部材２１）に雨水が入り込むのを抑制することができる。
【００７７】
また、第１被覆部材３の第１外側面被覆部３２の下端部から内側へ延びる抑制面３４ａが設けられている。抑制面３４ａによって腰壁本体２の上端部と第１外側面被覆部３２との間の流体の流れを抑制することができるため、腰壁本体２の外側面に沿った流体の上昇流をより効果的に通路５の開口５２内に導くことができる。
【００７８】
その一方で、抑制面３４ａが設けられている場合、流体の上昇流の一部が、抑制面３４ａにより第１外側面被覆部３２と腰壁本体２との間隙３０ａへの侵入が抑制される結果、流体が外側（腰壁本体２から離れる側）に逃げようとする。ここで、第２被覆部材４は、下方延出部４１３を有しているため、矢印Ｐ１に示すように、腰壁本体２から離れる側に逃げようとする流体の流れを下方延出部４１３で受けて開口５２内に導くことができる。したがって、より積極的に開口５２内への流体の流れを形成することができる。
【００７９】
ここで、下方延出部４１３を有する構成においては、下方延出部４１３で受けた流体の一部が下方に巻き返して再び腰壁本体２の外側面に沿った上昇流に合流して、通路５へ向けた流体の流れを妨害するおそれがある。そこで、第２被覆部材４が本体側延設部４１１ａを有しているため、矢印Ｐ２に示すように、下方延出部４１３に導かれた流体の下方への移動を本体側延設部４１１ａにより規制することができるため、下方延出部に導かれた流体をより効率よく通路５内に導くことができる。
【００８０】
そして、第１上面被覆部４２１が被覆側延設部４１２の上端から内側かつ上方に向けて鈍角に延びるとともに第２上面被覆部４２２が第１上面被覆部４２１の内側端から内側かつか法に向けて鈍角に延びている。これにより、被覆側延設部４１２と第１外側面被覆部３２との間に導かれた流体を第１上面被覆部４２１及び第２上面被覆部４２２に沿って鈍角に方向転換させて腰壁１の内側（裏側）まで導くことができる（図２及び図３の矢印Ｐ４、Ｐ５）。したがって、通路５内に導入された流体をスムーズに流すことができる。
【００８１】
そして、流体は、通路中間部５４から出口５５へ流れ、出口５５から腰壁１の内側（裏側）で排出される。
【００８２】
このように腰壁１では、開口形成部４１１と第１外側面被覆部３２との間の通路の断面積を腰壁本体２の上端部の外側面と第１被覆部材３との間隙３０ａの断面積よりも大きくすることにより、流体を間隙３０ａに優先して通路５に導くことができる。したがって、腰壁本体２の上端部の外側面と第１被覆部材３との間隙３０ａをシーリングする工程を省略することができるので、容易かつ低コストで腰壁本体２の内部に雨水が入るのを抑制することができる。
【００８３】
また、開口形成部４１１と第１外側面被覆部３２との距離Ｌ３が、腰壁本体２の上端部の外側面と第１外側面被覆部３２との距離Ｌ４よりも大きく、且つ、被覆側延設部４１２と第１外側面被覆部３２との距離Ｌ５よりも小さく設定されている。これにより、開口形成部４１１と第１外側面被覆部３２と被覆側延設部４１２との距離に応じて断面積の調整を行うことができる。
【００８４】
腰壁本体２の寸法精度に応じて当該腰壁本体２と第１外側面被覆部３２との間の間隔にばらつきが生じるが、前記態様によれば、第１外側面被覆部３２と腰壁本体２との間で緩衝材３４を挟み込むことによって第１外側面被覆部３２と腰壁本体２との間の隙間を容易に塞ぐことができる。そして、この緩衝材３４を抑制面３４ａを構成するものとして兼用することができる。
【００８５】
支持部材６は、第１上面被覆部４２１を支持する支持部６１と、第２上面被覆部４２２を支持する支持部６２とを有している。これにより、上記のように互いに鈍角に接続される第１上面被覆部４２１及び第２上面被覆部４２２が外力に対して変形し難くなる。また、両被覆部４２１、４２２は、水平面に対して傾斜しているため、第２被覆部材４上に雨水が溜まるのを抑制することができる。
【００８６】
以上のように、腰壁１によれば、腰壁本体２の外側面２２ａに強風を伴う雨が降っている場合でも、第１被覆部材３と第２被覆部材４との間に通路５が形成されているため、雨水が通路５を円滑に流れ、第１被覆部材３と腰壁本体２の外側面２２ａとの間隙３０ａに入り込むのを抑制することができる。したがって、雨水が腰壁本体２の内部に入り込むおそれが少ない。
【符号の説明】
【００８７】
１    腰壁
２    腰壁本体
３    第１被覆部材
４    第２被覆部材
５    通路
６    支持部材
３０ａ    間隙（腰壁本体の上端部の外側面と第１外側面被覆部との間隙）
３２    第１外側面被覆部
３４    緩衝材
３４ａ    抑制面
４１    第２外側面被覆部
４２    上面被覆部
５２    開口
６１、６２    支持部
４１１    開口形成部
４１１ａ    本体側延設部
４１２    被覆側延設部
４１３    下方延出部
４２１    第１上面被覆部
４２２    第２上面被覆部
【手続補正２】
【補正対象書類名】特許請求の範囲
【補正対象項目名】全文
【補正方法】変更
【補正の内容】
【特許請求の範囲】
【請求項１】
腰壁であって、
腰壁本体と、
前記腰壁本体の上端部の外側面、内側面及び上面を覆うように前記腰壁本体の上端部を被覆する第１被覆部材であって、前記腰壁本体の上端部の外側面を被覆する第１外側面被覆部を有する第１被覆部材と、
前記第１被覆部材の外側面、内側面及び上面との間に通路が形成された状態で前記第１被覆部材の外側面、内側面及び上面を覆う第２被覆部材と、を備え、
前記第１外側面被覆部の外側面を被覆する前記第２被覆部材の第２外側面被覆部は、前記通路の外側の開口を前記第１外側面被覆部との間で形成する開口形成部と、前記開口形成部の上端部から外側に張り出すとともに前記開口形成部から上方に延びる被覆側延設部とを備え、
前記第１外側面被覆部と前記開口形成部との間に形成される前記通路の断面積は、前記腰壁本体の上端部の外側面と前記第１外側面被覆部との間隙の断面積よりも大きく、且つ、前記被覆側延設部と前記第１外側面被覆部との間に形成される前記通路の断面積よりも小さく、
前記第１被覆部材は、前記第１外側面被覆部と前記腰壁本体の上端部との間の流体の流れを抑制するために前記第１外側面被覆部の下端から内側へ向けて前記腰壁本体の外側面まで延びる抑制面をさらに備え、
前記第２外側面被覆部は、前記開口形成部の下端部から下に延びて前記第１外側面被覆部の下端部よりも下方に位置する下方延出部と、前記下方延出部から前記腰壁本体側に延びて前記抑制面よりも下方に位置する本体側延設部と、を有する、腰壁。
【請求項２】
前記開口形成部と前記第１外側面被覆部との距離が、前記腰壁本体の上端部の外側面と前記第１外側面被覆部との距離よりも大きく、且つ、前記被覆側延設部と前記第１外側面被覆部との距離よりも小さい、請求項１に記載の腰壁。
【請求項３】
前記第１被覆部材は、前記第１外側面被覆部と前記腰壁本体の上端部との間に設けられた緩衝材をさらに備え、
前記緩衝材は、前記抑制面を有する、請求項１または２に記載の腰壁。
【請求項４】
前記緩衝材は、通気性を有する、請求項３に記載の腰壁。
【請求項５】
前記第１被覆部材の上面を被覆する前記第２被覆部材の上面被覆部は、前記被覆側延設部の上端から内側かつ上方に向けて鈍角に延びる第１上面被覆部と、前記第１上面被覆部の内側端から内側かつ下方に向けて鈍角に延びる第２上面被覆部とを有する、請求項１〜４の何れか一項に記載の腰壁。
【請求項６】
前記第１被覆部材と前記第２被覆部材との間に前記通路が形成されるように前記第２被覆部材を前記第１被覆部材上に支持する支持部材をさらに備え、
前記支持部材は、前記第１上面被覆部を支持する部分と、前記第２上面被覆部を支持する部分とを有する、請求項５に記載の腰壁。
【請求項７】
前記第１被覆部材は、前記腰壁本体の上面を上から覆う上壁を有し、
前記第２被覆部材の前記第１上面被覆部は、前記第１被覆部材の前記上壁の上方に配置され、前記第２被覆部材の前記第１上面部と前記第１被覆部材の前記上壁との距離が内側に向かって拡大する、請求項５または６に記載の腰壁。